(57)【要約】【課題】  二重渦巻形状のように発光管を曲折させて平面形状に構成された放電灯を用いて、薄型化、小型化を可能にした照明器具を提供する。【解決手段】  両端に口金を設けた発光管１ａを曲折させて平面形状に構成された二重渦巻形状の放電灯１と、長辺部２３，２４と短辺部２１，２２を有する長尺状に形成されて放電灯１に電力を供給する点灯装置２とを器具本体１０の上底面に備え、放電灯１および点灯装置２は発光管１ａの平面形状を含む平面上に配置され、且つ放電灯１は点灯装置２の長辺部２３に対向して配置される。【選択図】図１
2008204730.tif 000002
【特許請求の範囲】
【請求項１】
両端に口金を設けた発光管を曲折させて平面形状に構成された放電灯と、長辺部と短辺部を有する長尺状に形成されて放電灯に電力を供給する点灯装置とを備え、放電灯および点灯装置は前記発光管の平面形状を含む平面上に配置され、且つ放電灯は点灯装置の長辺部に対向して配置されることを特徴とする照明器具。
【請求項２】
前記放電灯の発光管は、二重渦巻状であることを特徴とする請求項１記載の照明器具。
【請求項３】
前記放電灯の発光管は、円状または多角形状に巻回して形成され、前記点灯装置の長辺部の寸法は、円の直径または多角形の対角線長さの１．０〜１．３倍であることを特徴とする請求項１記載の照明器具。
【請求項４】
前記点灯装置は、外部電源からの配線が接続される入力端子、放電灯へ電力を供給する配線が接続される出力端子を、長辺方向の両端部に各々設け、入力端子および出力端子に接続された各配線は互いに交差しないように配線されることを特徴とする請求項１乃至３いずれか記載の照明器具。
【請求項５】
前記配線は、端部の被覆を除去した単線または端部に半田上げを施した電線であり、前記入力端子および出力端子は、前記点灯装置の短辺方向に向かって配線の端部を差し込むことで結線が行われる速結端子であることを特徴とする請求項４記載の照明器具。
【請求項６】
各口金を介して前記発光管内に設けた一対のフィラメントは、一方のフィラメントの電位が他方のフィラメントの電位より高く、一方のフィラメントを設けた口金に前記点灯装置から電気的に接続される配線は、他方のフィラメントを設けた口金に前記点灯装置から電気的に接続される配線より短いことを特徴とする請求項１乃至５いずれか記載の照明器具。
【発明の詳細な説明】
【技術分野】
【０００１】
本発明は、照明器具に関するものである。
【背景技術】
【０００２】
一重環形または二重環形の放電灯を用いた従来の照明器具について薄型化を図った例を図１０に示す。照明器具Ａ１００は、環形蛍光灯１０１と、環形蛍光灯１０１の中心位置に配置され、環形蛍光灯１０１の環形状における法線方向に水平に伸びて環形蛍光灯１０１を支持する複数のアーム１０２を有する器具本体１０３と、この器具本体１０３の上面側の中央部に設けられた器具取付部１０４とを備えており、環形蛍光灯１０１とアーム１０２と器具本体１０３とが略同一平面上に配置されている。
【０００３】
器具取付部１０４の上面側には差し込み刃１０４ａが設けられており、天井に設置されたアダプタ（図示せず）に差し込んで回転させることで、照明器具Ａ１００を天井に着脱自在に取り付けることができる。
【０００４】
環形蛍光灯１０１としては、二重環形蛍光灯が用いられており、この環形蛍光灯１０１は一体成形された３本の樹脂製のアーム１０２により支持されている。このアーム１０２の先端には、蛍光灯収納部１０５が設けられており、この蛍光灯収納部１０５に環形蛍光灯１０１が着脱自在に取り付けられ、また、アーム１０２の内部には、環形蛍光灯１０１の点灯および点灯状態の制御を行うための図示しない点灯装置が収納されている。そして、蛍光灯収納部１０５の内の１つには、ソケット部１０６が備えられており、ソケット部１０６において環形蛍光灯１０１の図示しない口金がソケット部１０６に接続されて点灯装置から電力が供給される。（例えば、特許文献１参照）。
【０００５】
このように、アーム１０２内部のように環形放電灯の内周側の空間に点灯装置を配置して、照明器具の薄型化、小型化を図っているものが従来から知られているが、近年、図１１，図１２に示すような二重渦巻状の１本の発光管１ａを具備した放電灯２０１がある。発光管１ａは、１本の直管状のガラス管を湾曲させて形成され、発光管１ａの両端部１ｂ，１ｃには電極１ｉ，１ｊが配置され、電極１ｉ，１ｊは、所謂、ビーズガラスマウント方式のものであり、タングステン製のフィラメント１ｇ，１ｈと、このフィラメント１ｇ，１ｈを架持する一対のリード線１ｍ，１ｎと、この一対のリード線１ｍ，１ｎを固定支持するビーズガラス１ｐとからなり、両フィラメント１ｇ，１ｈが発光管１ａの内部に形成される一本の放電路の端部に相当する。さらに、発光管１ａは、その端部１ｂ，１ｃが保持部１ｚ，１ｚ内に位置するように配され、この状態で各リード線１ｍ，１ｎが接続端子１ｘ，１ｙに接続されて、接続端子１ｘ，１ｙを介して電力が供給される。
【０００６】
上記発光管１ａは、図１２に示すように、上方から見て渦巻の中央を垂直に貫く仮想軸Ｙの廻りを旋回する２つの渦巻部１ｄ，１ｅと、この渦巻部１ｄ，１ｅの一端（フィラメントが設けられている側と反対）で両者を連結する連結部１ｆとを有する平面状に形成される。発光管１ａの管軸の全部またはその殆どは、仮想軸Ｙと略直交する一平面上に形成され、渦巻部１ｄ，１ｅは、連結部１ｆから両端部１ｂ，１ｃ側に移るに従って、仮想軸Ｙから離れるように同一方向（図１２中のＳ方向）に旋回しており、発光管１ａは、同じＳ方向に旋回している２つの渦巻部１ｄ，１ｅを有する二重渦巻形状に形成されて、仮想軸Ｙに直交する方向から見ると薄型形状となる（例えば、特許文献２参照）。
【０００７】
このような二重渦巻形状の放電灯２０１は、内周側の空間にも発光管を設けたことによって、一重環形または二重環形の放電灯に比べて発光体が平面状に見え、視覚的に面光源となり、配光が均一で明るい薄型のランプとなる。この二重渦巻形状の放電灯２０１を用いた照明器具Ａ２００としては、図１３に示すような天井直取り付け型で鉛直下方を照明するダウンシーリングタイプがあり、天井に取り付けられる器具本体２０２と、器具本体２０２内に配置される点灯装置２０３と、器具本体２０２の下面に取り付けられる二重渦巻形状の放電灯２０１と、器具本体２０２の下面側に覆設するカバー２０４とを備えている。
【特許文献１】特開２００５−２３５５９８号公報
【特許文献２】特開２００６−８５９４３号公報
【発明の開示】
【発明が解決しようとする課題】
【０００８】
上記二重渦巻形状の放電灯２０１を用いた照明器具Ａ２００では、上記環形蛍光灯１０１を用いた照明器具Ａ１００のようにランプの内周側に点灯装置を配置することができないため、放電灯２０１と点灯装置２０３とを仮想軸Ｙ方向に重ねて配置しなければならず、薄型化、小型化が困難であった。
【０００９】
また、点灯装置２０３が放電灯２０１の上方に接近して配置されており、放電灯２０１の発熱が上方の点灯装置２０３に伝わりやすく、点灯装置２０３内の電子部品は厳しい温度条件下に置かれることになる。したがって、点灯装置２０３内の電子部品に大型のものを用いたり、点灯装置２０３と放電灯２０１との間の距離を離すことが必要となって、薄型化、小型化が一層困難になっていた。
【００１０】
本発明は、上記事由に鑑みてなされたものであり、その目的は、二重渦巻形状のように発光管を曲折させて平面形状に構成された放電灯を用いて、薄型化、小型化を可能にした照明器具を提供することにある。
【課題を解決するための手段】
【００１１】
請求項１の発明は、両端に口金を設けた発光管を曲折させて平面形状に構成された放電灯と、長辺部と短辺部を有する長尺状に形成されて放電灯に電力を供給する点灯装置とを備え、放電灯および点灯装置は前記発光管の平面形状を含む平面上に配置され、且つ放電灯は点灯装置の長辺部に対向して配置されることを特徴とする。
【００１２】
この発明によれば、照明器具の厚みは、放電灯と点灯装置とのうち厚み寸法が大きいほうによって決まり、従来のように放電灯と点灯装置とを重ねて配置した場合に比べて、薄型化を図ることができる。また、点灯装置の長辺部に対向して放電灯を配置することでも寸法を抑えることができ、小型化を図ることができる。すなわち、二重渦巻形状のように発光管を曲折させて平面形状に構成された放電灯を用いて、薄型化、小型化が可能になる。
【００１３】
請求項２の発明は、請求項１において、前記放電灯の発光管は、二重渦巻状であることを特徴とする。
【００１４】
この発明によれば、発光体が平面状に見え、視覚的に面光源となり、配光が均一で明るい薄型のランプが構成される。
【００１５】
請求項３の発明は、請求項１において、前記放電灯の発光管は、円状または多角形状に巻回して形成され、前記点灯装置の長辺部の寸法は、円の直径または多角形の対角線長さの１．０〜１．３倍であることを特徴とする。
【００１６】
この発明によれば、放電灯の大きさから推測される必要な出力電力に対して、点灯装置の十分な実装面積を確保可能な長辺部の長さが設定される。
【００１７】
請求項４の発明は、請求項１乃至３いずれかにおいて、前記点灯装置は、外部電源からの配線が接続される入力端子、放電灯へ電力を供給する配線が接続される出力端子を、長辺方向の両端部に各々設け、入力端子および出力端子に接続された各配線は互いに交差しないように配線されることを特徴とする。
【００１８】
この発明によれば、出力配線を流れる高周波電流によって入力配線に誘起される雑音が低減され、小型化による雑音端子電圧の性能悪化を抑制できる。
【００１９】
請求項５の発明は、請求項４において、前記配線は、端部の被覆を除去した単線または端部に半田上げを施した電線であり、前記入力端子および出力端子は、前記点灯装置の短辺方向に向かって配線の端部を差し込むことで結線が行われる速結端子であることを特徴とする。
【００２０】
この発明によれば、配線が大きく湾曲することなく端子に接続可能であり、放電灯の配光を遮ることなく照明器具の小型化が可能となる。
【００２１】
請求項６の発明は、請求項１乃至５いずれかにおいて、各口金を介して前記発光管内に設けた一対のフィラメントは、一方のフィラメントの電位が他方のフィラメントの電位より高く、一方のフィラメントを設けた口金に前記点灯装置から電気的に接続される配線は、他方のフィラメントを設けた口金に前記点灯装置から電気的に接続される配線より短いことを特徴とする。
【００２２】
この発明によれば、出力配線間の寄生容量による悪影響を抑制し、さらには雑音性能の向上も可能となる。
【発明の効果】
【００２３】
以上説明したように、本発明では、二重渦巻形状のように発光管を曲折させて平面形状に構成された放電灯を用いて、薄型化、小型化が可能になるという効果がある。
【発明を実施するための最良の形態】
【００２４】
以下、本発明の実施の形態を図面に基づいて説明する。
【００２５】
（実施形態１）
本実施形態の照明器具Ａ１は図１、図２に示され、下面を開口した矩形函状の器具本体１０内に、二重渦巻形状の放電灯１と、点灯装置２と、点灯装置２の入力配線Ｗｉおよび出力配線Ｗｏ１，Ｗｏ２と、ランプホルダー３と、ソケット４，５とを収納し、器具本体１の下面開口には光透過性のカバー１１を覆設している。器具本体１０は、周囲を４つの側面で囲まれており、その一側面１０ａに構造物の壁等に固定するためのブラケット１２を設けている。
【００２６】
本実施形態の放電灯１は、図３に示すように、上記背景技術と同様な二重渦巻状の１本の発光管１ａを備えており、発光管１ａは、上方から見て渦巻の中央を垂直に貫く上下方向の仮想軸Ｙの廻りを旋回する２つの渦巻部１ｄ，１ｅと、この渦巻部１ｄ，１ｅの一端（フィラメントが設けられている側と反対）で両者を連結する連結部１ｆとを有する平面状に形成される。発光管１ａの管軸の全部またはその殆どは、仮想軸Ｙと略直交する水平方向の一平面上に形成され、渦巻部１ｄ，１ｅは、連結部１ｆから両端部１ｂ，１ｃ側に移るに従って、仮想軸Ｙから離れるように同一方向（図３中のＳ方向）に旋回しており、発光管１ａは、同じＳ方向に旋回している２つの渦巻部１ｄ，１ｅを有する二重渦巻形状に形成されて、仮想軸Ｙに直交する方向から見ると薄型形状となる。そして、発光管１ａの両端部１ｂ，１ｃには口金１ｑ，１ｒが取り付けられ、口金１ｑ，１ｒは、発光管１ａの両端部１ｂ，１ｃに封着された電極１ｉ，１ｊの各リード線１ｍ，１ｎ（図１２参照）に接続した一対の電源接続端子ピン１ｓ，１ｔを備える。
【００２７】
この二重渦巻形状の放電灯１は、器具本体１０の上底面に固定されたランプホルダー３に保持されている。ランプホルダー３は、図１に示すように、長方形状のベース部３ａと、ベース部３ａの長手方向の両端部に設けられた保持部３ｂ，３ｂとを備え、保持部３ｂ，３ｂは、ベース部３ａから発光管１ａ側にＵ字状に湾曲しており、当該湾曲部内に発光管１ａの外周を嵌め込むことで、放電灯１の発光面が上下方向を向くように保持している。さらに、器具本体１の上底面には一対のソケット４，５が配置されており、発光管１ａの両端部１ｂ，１ｃに設けた各口金１ｑ，１ｒがソケット４，５に着脱自在に装着され、各口金１ｑ，１ｒの電源接続端子ピン１ｓ，１ｔは、ソケット４，５に接続された出力配線Ｗｏ１，Ｗｏ２を介して点灯装置２の出力に各々接続されている。
【００２８】
点灯装置２は、図４に示すように、矩形の金属ケース２ｂおよび金属カバー２ｃを組み合わせて形成された筐体２ａを備え、金属ケース２ｂの両端部に設けた取付孔２ｆ，２ｇに図示しないねじを挿通させることで、器具本体１０に取り付けられる。筐体２ａは矩形函状に形成されて、互いに対向する短辺部２１，２２と、互いに対向する長辺部２３，２４とで矩形の外周を構成し、筐体２ａ内にはインバータ等の回路を実装したプリント基板２ｄが収納されている。
【００２９】
プリント基板２ｄは、短辺部２１側の端部に一組の入力端子Ｔｉを設け、短辺部２１に対向する短辺部２２側の端部に２組の出力端子Ｔｏ１，Ｔｏ２（なお、出力端子Ｔｏ１，Ｔｏ２の両方を指すときは、出力端子Ｔｏと称す）を設けており、入力配線Ｗｉを介して入力端子Ｔｉに入力された商用電源を高周波電力に変換し、この高周波電力が出力端子Ｔｏ１，Ｔｏ２から出力配線Ｗｏ１，Ｗｏ２、ソケット４，５を介して放電灯１へ供給される。このプリント基板２ｄは、ねじ２ｅによって金属ケース２ｂに取り付けられるとともに、プリント基板２ｄのグランド電位を金属ケース２ｂに電気的に接続している。
【００３０】
また、金属カバー２ｃは、プリント基板２ｄの長辺方向の両端部に配置した入力端子Ｔｉ、出力端子Ｔｏ１，Ｔｏ２が露出するように、プリント基板２ｄを覆っており、入力端子Ｔｉ、出力端子Ｔｏ１，Ｔｏ２への結線の際に金属カバー２ｃを取り外す必要はなく、さらに上記入力端子Ｔｉ、出力端子Ｔｏ１，Ｔｏ２は、端部の被覆を除去した単線または端部に半田上げを施した電線を差し込むことで結線が行われる速結端子であり、入力配線Ｗｉ、出力配線Ｗｏ１，Ｗｏ２を容易に接続できる。入力端子Ｔｉ、出力端子Ｔｏ１，Ｔｏ２に対して電線を差し込む方向は、筐体２ａの短辺方向と同一になるように構成されており、本実施形態において入力配線Ｗｉ、出力配線Ｗｏ１，Ｗｏ２が大きく湾曲することなく接続可能であり、放電灯１の配光を遮ることなく照明器具Ａ１の小型化に寄与している。
【００３１】
そして、器具本体１０内では、点灯装置２の一方の長辺部２３を側面１０ａに沿って配置し、点灯装置２の他方の長辺部２４に対向して放電灯１を配置しており、放電灯１および点灯装置２は、発光管１ａの上記仮想軸Ｙと直交して発光管１ａの平面形状を含む平面Ｘ（図２参照）上で互いに近接して配置されている。すなわち、二重渦巻形状の放電灯１および点灯装置２は、器具本体１０内で水平方向の同一平面Ｘ上に並設されており、照明器具Ａ１の上下方向の寸法（厚み）は、放電灯１と点灯装置２とのうち上下方向の寸法が大きいほうによって決まり、従来のように放電灯１と点灯装置２とを仮想軸Ｙ方向に重ねて配置した場合に比べて、薄型化を図ることができる。また、点灯装置２の長辺部２３に対向して放電灯１を配置することでも、器具本体１０の寸法を抑えることができ、小型化を図ることができる。
【００３２】
さらに、放電灯１の発熱は上方に伝達されるので、放電灯１に対して水平方向に配置された点灯装置２には放電灯１の発熱が伝わり難くなり、点灯装置２内の電子部品が厳しい温度条件下に置かれることはない。したがって、点灯装置２内の電子部品に小形のものを用いることや、点灯装置２を放電灯１に近づけることが可能となって、薄型化、小型化が一層容易となる。
【００３３】
また、器具本体１０の側面１０ａの一端側には、入力配線Ｗｉを引き込むための挿通孔１０ｂが穿設され、点灯装置２は、入力端子Ｔｉが挿通孔１０ｂの近傍に位置するように、入力端子Ｔｉを側面１０ａの一端側に向けて配置される。この入力配線Ｗｉは、挿通孔１０ｂから入力端子Ｔｉまで最短距離で引き回されて出力配線Ｗｏ１，Ｗｏ２と互いに交差、接触しないように配線されている。したがって、出力配線Ｗｏ１，Ｗｏ２を流れる高周波電流によって入力配線Ｗｉに誘起される雑音が低減され、小型化による雑音端子電圧の性能悪化を抑制している。
【００３４】
次に、点灯装置２の筐体２ａ内には、図５に示す、ＡＣ／ＤＣコンバータ部２ｍと、インバータ部２ｎと、出力部２ｏとで構成された点灯回路が収納されている。
【００３５】
ＡＣ／ＤＣコンバータ部２ｍは、入力端子Ｔｉを介して入力された商用電源ＡＣを全波整流する全波整流器ＤＢと、全波整流器ＤＢの出力端間に接続されたコンデンサＣ１と、全波整流器ＤＢの＋側出力に接続されたインダクタＬ１とダイオードＤ１との直列回路と、インダクタＬ１を介して全波整流器ＤＢの出力端間に接続されたＦＥＴ等のスイッチング素子Ｑ１と、ダイオードＤ１を介してスイッチング素子Ｑ１に並列接続された平滑用のコンデンサＣ２と、コンバータ制御回路Ｋ１とで構成される。そして、コンバータ制御回路Ｋ１がスイッチング素子Ｑ１をオン・オフ制御することによって、商用電源ＡＣの全波整流電圧を所望の直流電圧に変換し、コンデンサＣ２の両端から出力する。
【００３６】
インバータ部２ｎは、ＡＣ／ＤＣコンバータ部２ｍの出力端間に接続されたＦＥＴ等のスイッチング素子Ｑ２，Ｑ３（ハイサイド側スイッチング素子Ｑ２、ローサイド側スイッチング素子Ｑ３）の直列回路と、インバータ制御回路Ｋ２とからなるハーフブリッジインバータで構成される。そして、インバータ制御回路Ｋ２がスイッチング素子Ｑ２，Ｑ３を交互にオン・オフすることで、矩形波電圧を出力する。
【００３７】
出力部２ｏは、スイッチング素子Ｑ３の両端間に、コンデンサＣ３とインダクタＬ２の直列回路、出力端子Ｔｏ１（電源側端子Ｔｏ１１、非電源側端子Ｔｏ１２）、コンデンサＣ４、出力端子Ｔｏ２（電源側端子Ｔｏ２１、非電源側端子Ｔｏ２２）を接続して構成されており、スイッチング素子Ｑ３の高圧側は、コンデンサＣ３とインダクタＬ２の直列回路を介して出力端子Ｔｏ１の電源側端子Ｔｏ１１に接続され、スイッチング素子Ｑ３の低圧側は、出力端子Ｔｏ２の電源側端子Ｔｏ２１に接続される。そして、出力端子Ｔｏ１を一対の出力配線Ｗｏ１を介してソケット４に接続することで、電源側端子Ｔｏ１１―非電源側端子Ｔｏ１２間には放電灯１のフィラメント１ｇが接続され、また出力端子Ｔｏ２を一対の出力配線Ｗｏ２を介してソケット５に接続することで、電源側端子Ｔｏ２１―非電源側端子Ｔｏ２２間には放電灯１のフィラメント１ｈが接続される。さらに、非電源側端子Ｔｏ１２−Ｔｏ２２間にはコンデンサＣ４が接続される。
【００３８】
そして、インバータ部２ｎが出力した矩形波電圧は、コンデンサＣ３によって直流成分がカットされ、さらにインダクタＬ２とコンデンサＣ４とのＬＣ共振回路の共振作用によって、放電灯１の始動電圧、点灯電圧を得ている。また、このＬＣ共振回路の経路には放電灯１のフィラメント１ｇ，１ｈが介挿されており、コンデンサ予熱方式となっている。
【００３９】
ここで、交流電源ＡＣのいずれか１線がアースされている場合、フィラメント１ｇおよび出力配線Ｗｏ１の対地間電圧をＶ１とし、フィラメント１ｈおよび出力配線Ｗｏ２の対地間電圧をＶ２とすると、対地間電圧Ｖ１は商用電源ＡＣの電圧の一部に、インバータ部２ｎが出力する高周波電圧が重畳した電圧であり、対地間電圧Ｖ１＞対地間電圧Ｖ２の関係が成り立つ。すなわち、出力配線Ｗｏ１が高圧側配線となり、出力配線Ｗｏ２が低圧側配線となる。
【００４０】
上記回路構成において、出力配線Ｗｏ１−Ｗｏ２間には、図６の概略図に示すような寄生容量Ｃｋが発生し、寄生容量Ｃｋは、出力配線Ｗｏ１，Ｗｏ２の配線間距離、配線長に密接に関係している。この寄生容量Ｃｋの発生は、コンデンサＣ４の容量が増加することと等価であり、コンデンサＣ４の見かけ上の容量増加はインダクタＬ２とコンデンサＣ４との共振特性に影響を及ぼし、放電灯１に印加される電圧が減少するので、放電灯１の始動、点灯性能が悪化する。また、放電灯１のような二重渦巻形状の放電灯は、管長が長いために始動電圧が高く、特に始動特性は寄生容量Ｃｋの影響を受けやすい。したがって、放電灯１の始動、点灯性能の悪化を防止するためには、寄生容量Ｃｋによる放電灯１の印加電圧低下を抑制する必要がある。
【００４１】
そこで、本実施形態では、図１に示すようにソケット４をソケット５より点灯装置２の出力端子Ｔｏに近い位置に配置することで、高圧側の出力配線Ｗｏ１の配線長を低圧側の出力配線Ｗｏ２の配線長より短くしている。図７は、出力配線Ｗｏ１，Ｗｏ２の各配線長と放電灯１に印加される電圧（コンデンサＣ４の両端電圧）との関係を実際に測定した結果である。出力配線Ｗｏ１，Ｗｏ２の各配線長が同一の２０ｃｍの場合を基準として、両方の配線長が３５ｃｍまたは５０ｃｍになった場合、あるいは一方の配線長が３５ｃｍで他方の配線長が５０ｃｍになった場合のコンデンサＣ４の両端電圧を測定している。この測定結果によると、出力配線Ｗｏ１，Ｗｏ２の配線長が長くなるほどコンデンサＣ４の両端電圧は低下するが、一方の配線長が変わらず、他方の配線長のみが長くなった場合にはコンデンサＣ４の両端電圧が殆ど変化しない。すなわち、出力配線Ｗｏ１，Ｗｏ２の配線長に差がある場合は、いずれか短いほうの配線長でコンデンサＣ４の両端電圧の低下度が決まっており、本実施形態では高圧側の出力配線Ｗｏ１の配線長を低圧側の出力配線Ｗｏ２の配線長より短くすることで、寄生容量Ｃｋによる電圧低下を抑制し、さらには雑音性能の向上も図っている。なお、本実施形態では、高圧側の出力配線Ｗｏ１の配線長を１３．５ｃｍ、低圧側の出力配線Ｗｏ２の配線長を２８．０ｃｍに設定する。
【００４２】
したがって、発光管１ａの両端部１ｂ，１ｃに設けた口金１ｑ，１ｒを介してフィラメント１ｇ，１ｈに電力供給する場合、視覚的に面光源になるという二重渦巻形状の放電灯１の特長を生かすために、出力配線Ｗｏ１，Ｗｏ２を放電灯１に重ならないように引き回すと、配線長が長くなってしまい、出力配線Ｗｏ１，Ｗｏ２間に発生する寄生容量Ｃｋによって、電気特性、特に放電灯１に印加される高周波電圧に大きな影響を及ぼしてしまうが、本実施形態のように高圧側の出力配線Ｗｏ１の配線長を低圧側の出力配線Ｗｏ２の配線長より短くすることで、出力配線Ｗｏ１，Ｗｏ２を放電灯１に重ならないように引き回しながら、寄生容量Ｃｋの影響を低減できる。
【００４３】
（実施形態２）
図８は、本実施形態の照明器具Ａ２を側方から見た平面透視図であり、後面（図８の奥の面）が前面（図８の手前の面）より広い函状の器具本体１５を備え、後面を構造物の壁等に固定して設置される。器具本体１５内の後面内側には、二重渦巻形状の放電灯１と、点灯装置２と、ランプホルダー３と、ソケット４，５とを配置し、点灯装置２の入力端子Ｔｉ、出力端子Ｔｏ１，Ｔｏ２には、器具本体１５の後面に穿設した挿通孔１５ｅを介して商用電源から入線された入力配線Ｗｉ、およびソケット４，５からの出力配線Ｗｏ１，Ｗｏ２が各々接続されて、放電灯１へ高周波電力を供給している。基本構成は実施形態１と同様であり、器具本体１５内では、点灯装置２の長辺部２４を側面１５ａに沿って配置し、点灯装置２の長辺部２３に対向して放電灯１を配置しており、放電灯１および点灯装置２は、発光管１ａの上記仮想軸Ｙと直交して発光管１ａの平面形状を含む平面上で互いに近接して配置されている。すなわち、二重渦巻形状の放電灯１および点灯装置２は、器具本体１５内で同一平面上に並設されており、照明器具Ａ１の前後方向の寸法は、放電灯１と点灯装置２とのうち前後方向の寸法が大きいほうによって決まり、従来のように放電灯１と点灯装置２とを仮想軸Ｙ方向に重ねて配置した場合に比べて、薄型化を図ることができる。また、点灯装置２の長辺部２３に対向して放電灯１を配置することでも、器具本体１５の寸法を抑えることができ、小型化を図ることができる。
【００４４】
さらに、放電灯１の発熱は上方に伝達されるので、放電灯１に対して水平方向に配置された点灯装置２には放電灯１の発熱が伝わり難くなり、点灯装置２内の電子部品が厳しい温度条件下に置かれることはない。したがって、点灯装置２内の電子部品に小形のものを用いることや、点灯装置２を放電灯１に近づけることが可能となって、薄型化、小型化が一層容易となる。
【００４５】
本実施形態では、図８において、二重渦巻形状の放電灯１の発光領域として、放電灯１の中心から半径ａの点線で示した仮想円領域Ｈ１を設定すると、仮想円領域Ｈ１の側面１５ａ側の端部から側面１５ａ方向へ距離ｂ離れたところに、短辺部２１，２２の長さがｃである点灯装置２を、長辺部２３が放電灯１に対向するように配置している。ここで、半径ａ＝６０ｍｍ、距離ｂ＝１５ｍｍ、長さｃ＝１５０ｍｍであり、２（ａ＋ｂ）＝ｃの関係が成立しており、点灯装置２によって放電灯１の光が遮光される領域Ｈ２は、仮想円領域Ｈ１の中心から側面１５ａ側の回転角９０度の範囲内に抑えられる。
【００４６】
このとき、点灯装置２の長辺部２３，２４の寸法ｄは、仮想円領域Ｈ１の直径２ａの１．０〜１．３倍に設定されており、放電灯１の大きさから推測される必要な出力電力に対して、点灯装置２の十分な実装面積を確保可能な長辺部２３，２４の長さとなっている。
【００４７】
さらに、器具本体１５の互いに対向する両側面１５ａ，１５ｂを遮光材で形成し、器具本体１５の互いに対向する上下面１５ｃ，１５ｄを開放する（または光透過性の材料で形成する）とともに、前後面も遮光材で覆うことで、図９のように，上方の範囲Ｈ１０内および下方の範囲Ｈ１１内のみに、水平方向に対称な配光を施すことができ、例えば、この範囲Ｈ１０，Ｈ１１は、仮想円領域Ｈ１の中心から上方向および下方向の回転角９０度の各範囲に設定される。また、この構成を応用すれば、直接光と間接光の両方を用いた演出や、前後面で表示を行う用途にも展開できる。
【００４８】
なお、二重渦巻形状の放電灯１の発光管１ａの横断面形状は、円形状に限定するものではなく、例えば、略楕円形状であっても、多角形状であってもよく、例えば多角形形状の場合、点灯装置２の長辺部２３，２４の寸法ｄは、多角形の対角線長さの１．０〜１．３倍に設定される。
【００４９】
また、点灯装置２は入力端子Ｔｉを下方に向けて配置され、さらに器具本体１５の後面において、入力配線Ｗｉを引き込むための挿通孔１５ｅが側面１５ｂ側に穿設されて、挿通孔１５ｅから器具本体１５内に引き込まれた入力配線Ｗｉは、配線固定具Ｄを介して器具本体１５の下面１５ｄを通り、点灯装置２の入力端子Ｔｉに接続される。この入力配線Ｗｉは、出力配線Ｗｏ１，Ｗｏ２と互いに交差、接触しないように配線されており、出力配線Ｗｏ１，Ｗｏ２を流れる高周波電流によって入力配線Ｗｉに誘起される雑音が低減され、小型化による雑音端子電圧の性能悪化を抑制している。
【００５０】
また、ソケット４をソケット５より点灯装置２の出力端子Ｔｏに近い位置に配置することで、高圧側の出力配線Ｗｏ１の配線長を低圧側の出力配線Ｗｏ２の配線長より短くしており、出力配線Ｗｏ１，Ｗｏ２を放電灯１に重ならないように引き回しながら、寄生容量Ｃｋの影響を低減している。
【００５１】
なお、実施形態１と同様の構成には同一の符号を付して説明は省略する。
【図面の簡単な説明】
【００５２】
【図１】実施形態１の照明器具の構成を示す斜視図である。
【図２】同上の構成を示す側面断面図である。
【図３】同上の二重渦巻形状の放電灯を示す平面図である。
【図４】同上の点灯装置の外観を示す平面図である。
【図５】同上の点灯装置の構成を示す回路図である。
【図６】同上の出力配線間に発生する寄生容量を示す概略回路図である。
【図７】同上の出力配線間の寄生容量の影響を示す図である。
【図８】実施形態２の照明器具の構成を示す平面図である。
【図９】同上の配光特性例を示す斜視図である。
【図１０】従来の環形蛍光灯を用いた照明器具の構成を示す斜視図である。
【図１１】二重渦巻形状の放電灯を示す一部破断した斜視図である。
【図１２】二重渦巻形状の発光管を示す一部破断した平面図である。
【図１３】従来の二重渦巻形状の放電灯を用いた照明器具の構成を示す側面断面図である。
【符号の説明】
【００５３】
Ａ１  照明器具
１  放電灯
１ａ  発光管
２  点灯装置
２１，２２  短辺部
２３，２４  長辺部
【図１】
2008204730.tif 000003
【図２】
2008204730.tif 000004
【図３】
2008204730.tif 000005
【図４】
2008204730.tif 000006
【図５】
2008204730.tif 000007
【図６】
2008204730.tif 000008
【図７】
2008204730.tif 000009
【図８】
2008204730.tif 000010
【図９】
2008204730.tif 000011
【図１０】
2008204730.tif 000012
【図１１】
2008204730.tif 000013
【図１２】
2008204730.tif 000014
【図１３】
2008204730.tif 000015